(57)【要約】  【課題】瞬発力の発揮が必要なスポーツにおいて、大臀筋の運動機能を強化できる運動用スパッツを提供する。  【解決手段】主構成部分がストレッチ素材で形成され、着用者の下半身の表面にほぼ密着した状態で着用され、第１の種類の素材(14)及び第２の種類の素材(11,12,13,15)を含む運動用スパッツであって、第１の種類の素材の緊締力は第２の種類の素材の緊締力よりも強く、第１の種類の素材は、少なくとも両方の大臀筋一部又は全部をそれぞれ覆う位置に配置され、第２の種類の素材は、第１の種類の素材を配置した領域以外の領域に配置されている。これにより、走動作のように瞬発力が必要な際、足で地をキックして前へ進むときに大臀筋の収縮を補助し、より強い瞬発力を発揮できる運動用スパッツを実現できる。【選択図】  図３
2005146450.tif 000002
【特許請求の範囲】
【請求項１】
主構成部分がストレッチ素材で形成され、着用者の下半身の表面にほぼ密着した状態で着用され、第１の種類の素材及び第２の種類の素材を含む運動用スパッツであって、
前記第１の種類の素材の緊締力は前記第２の種類の素材の緊締力よりも強く、
前記第１の種類の素材は、少なくとも両方の大臀筋の一部又は全部をそれぞれ覆う位置に配置され、
前記第２の種類の素材は、前記第１の種類の素材を配置した領域以外の領域に配置されていることを特徴とする運動用スパッツ。
【請求項２】
前記第１の種類の素材を、さらに少なくとも両方の中臀筋の一部を覆う領域に配置した請求項１に記載の運動用スパッツ。
【請求項３】
前記第１の種類の素材及び第２の種類の素材は、縫製によって一体化されている請求項１に記載の運動用スパッツ。
【請求項４】
前記第１の種類の素材及び第２の種類の素材は、一体編成で構成され、各素材の境界がシームレスである請求項１に記載の運動用スパッツ。
【請求項５】
前記素材の５ｃｍ幅における４．９Ｎ（５００ｇｆ）加重時の伸長率が、経緯方向ともに第１の種類の素材は５％以上３０％未満の範囲、第２の種類の素材は３０％以上の範囲である請求項１に記載の運動用スパッツ。
【請求項６】
前記素材の５ｃｍ幅における１７．７Ｎ（１８００ｇｆ）加重時の伸長率が、第１の種類の素材の値をＡ、第２の種類の素材の値をＢとしたとき、経緯方向ともにＡは３０％以上８０％未満、Ｂは８０％以上である請求項１に記載の運動用スパッツ。
【請求項７】
前記第１の種類の素材及び第２の種類の素材は、縦方向及び横方向に伸縮する２ウェイストレッチ編物及び２ウェイストレッチ織物から選ばれる少なくとも一つの布帛である請求項１に記載の運動用スパッツ。
【請求項８】
前記運動用スパッツが、膝上、膝下、または足首まで覆うように形成されている請求項１に記載の運動用スパッツ。
【発明の詳細な説明】
【技術分野】
【０００１】
本発明は、着用者の下半身の表面にほぼ密着した状態で着用される運動用スパッツに関するものであり、例えば陸上競技の短距離走のように瞬発力を発揮することが必要な場合において、大臀筋の運動機能を強化できる運動用スパッツに関するものである。
【背景技術】
【０００２】
従来から運動用スパッツは、運動機能性向上、筋肉、関節の保護などを目的とした種々のタイツやスパッツが知られている。
【０００３】
下記特許文献１の下肢部保護衣料は、少なくとも、膝蓋部を越える程度の長さの脚部を持つ下半身部を有する、伸縮性生地からなる衣料であって、前記衣料は部分的に緊締力の強い部分を有しており、前記緊締力の強い部分として少なくとも大転子上方から大転子を通り、さらに大腿二頭筋をサポートするために大腿二頭筋と腸脛靭帯との境界近傍上を通って、大腿二頭筋の筋腹を横切らずに大腿二頭筋の筋腹の下方の腱部分近傍を斜め方向に横切って脛骨上端近傍に至る強緊締力部を備えた下肢部保護衣料である。この下肢部保護衣料は野球、ラグビー、サッカー等さまざまなスポーツの競技時の下腿部保護ができ、特に大腿部後面の筋肉であるハムストリングスをサポートすることで筋肉のバランスを保つとともに、膝関節及び股関節全体の保護と動きの援助を行うことを目的としている。
【０００４】
下記特許文献２の下衣は、構成する前部分、後部分、外側部分、後腰部持出し部分、内側部分を運動形態に適応するパターンとし、外側部分および前部分の外面側に外膝部をサポートする外膝サポート部分縫合し、内側部分および前部分の外側に内膝部をサポートする内膝サポート部分を縫合し、これら両サポート部分の先端間に間隙を設け、前部分、後部分および内側部分を通常の伸縮率を有するトリコット編みの布地で形成し、外側部分、後腰部持出し部分および両サポート部分を前部分等よりも伸びが大きいトリコット編みの強伸縮布地で形成した下衣である。この下衣は、運動形態に対して充分な適応性を有する構造とすることができ、圧迫や引きつれを生じることなく、腰と脚との相互運動を補強することができ、両サポート部分によって膝関節の内側側副靭帯および外側側副靭帯をサポートすることができる。
【０００５】
下記特許文献３のテーピング機能タイツは、体側該当部と膝部内側該当部に、高伸縮強度を持った素材からなる脇側部材と内側部材を切り替え配置し、脇側部材と内側部材を膝位置の下方で山形に対向して頂部を突き合わせ縫合連結して膝部テーピング構造を構成し、下腿部の脹ら脛位置下方位置両側に、高伸縮強度を持った素材からなる脹ら脛部材を切り替え配置し、両脹ら脛部材を脹ら脛位置の下方で近接対向して脹ら脛部テーピング構造を構成し、スポーツテーピング機能を持たせたことを特徴とするものである。
【特許文献１】特許第３０１２８１９号公報
【特許文献２】特許第３２４１６０８号公報
【特許文献３】特開平１１−１２８１４号公報
【発明の開示】
【発明が解決しようとする課題】
【０００６】
しかし、前記特許文献１の下肢部保護衣料は、大腿部後面の筋肉であるハムストリングスをサポートすることで筋肉のバランスを保つとともに、膝関節及び股関節全体の保護と働きの援助を行うことが主たる機能であり、前記特許文献２の下衣は、腰と脚との相互運動を補強し、両サポート部分によって膝関節の内側側副靭帯および外側側副靭帯をサポートすることが主たる機能であり、前記特許文献３のテーピング機能タイツは、スポーツテーピングにおける大腿部じん帯、脹ら脛じん帯及びアキレス腱の保護と同様の作用を有する。
【０００７】
これらは、運動時の腰、関節保護、素材の配置方法による運動支援を目的としているが、例えば陸上競技の短距離走において、大臀筋の収縮を助ける機能は有していない。
【０００８】
本発明は、前記従来の問題を解決するため、瞬発力の発揮が必要なスポーツにおいて、大臀筋の運動機能を強化できる運動用スパッツを提供する。
【課題を解決するための手段】
【０００９】
本発明の運動用スパッツは、主構成部分がストレッチ素材で形成され、着用者の下半身の表面にほぼ密着した状態で着用され、第１の種類の素材及び第２の種類の素材を含む運動用スパッツであって、
前記第１の種類の素材の緊締力は前記第２の種類の素材の緊締力よりも強く、
前記第１の種類の素材は、少なくとも両方の大臀筋の一部又は全部をそれぞれ覆う位置に配置され、
前記第２の種類の素材は、前記第１の種類の素材を配置した領域以外の領域に配置されていることを特徴とする。
【発明の効果】
【００１０】
本発明は、人体の少なくとも両方の大臀筋の一部又は全部をそれぞれ覆う位置に、第１の素材である強緊締力を有するストレッチ素材（以下「強緊締素材」ともいう。）を密着して配置したことにより、例えば陸上競技における、特に短距離の走動作のように瞬発力が必要な際、足で地をキックして前へ進むときに大臀筋の収縮を補助し、より強い瞬発力を発揮できる運動用スパッツを実現できる。すなわち、大臀筋の収縮に合わせて、強緊締素材が収縮するので、大臀筋の運動機能を相乗的に強化し、より強い瞬発力を発揮できる。
【発明を実施するための最良の形態】
【００１１】
走動作は繰り返し動作が行われる循環運動の代表的なものである。走動作を一方の脚の動作に注目してみると、足部が接地している接地期と、接地していない遊脚期に大別される。さらに接地期は、身体の重心と支持足の関係から、前方向へのキック力が働く前半と、後方向へのキック力が働く後半に分けられる。同様に、遊脚期も足が離地後、脚部が身体重心の真下に来るまでの前半と、重心よりも前方に振り出される後半に分けられる。
【００１２】
以上の動作を左脚に注目して図１を用いて説明する。７は接地期、８〜１０及び１は遊脚期前半、２〜６は遊脚期後半である。なお、接地期７は極めて短時間であるため、図1において前半と後半に分けることができない。
【００１３】
下半身の各関節は、接地期７にとくに大きなパワーを発揮し、大臀筋等の筋肉も収縮して大きな力を発揮する。したがって、大臀筋を覆う位置に、強緊締素材を密着して配置することにより、とくに接地時の大臀筋の収縮を補助することができる。すなわち、大臀筋の収縮に合わせて、強緊締素材の部分が収縮するので、大臀筋の運動機能を相乗的に強化し、より強い瞬発力を発揮できる。
【００１４】
さらに、遊脚期前半８〜１０、１においては、脚が後方にスイングするため、当該部位の皮膚表面は収縮するが、強緊締素材はこの収縮についても補助するため、結果として素早い後方へのスイングが可能になる。但し、足部が接地していないため、それほど大きな効果は望めない。
【００１５】
一方、遊脚期後半２〜６は、強緊締素材の緊締力が脚の前方へのスイングを妨げる局面になるが、脚が接地していないため関節は大きなパワーを発揮する必要はない。したがって、動作を妨げる影響はそれほど大きなものではない。
【００１６】
以上のことから、走運動をトータルとして考えると、遊脚期前半と後半の効果はそれぞれほぼ相殺され、結果的に接地期における大きな動作補助効果を得ることができる。
【００１７】
次に図２Ａ〜Ｂを用いて、人体の下半身の筋肉を説明する。臀部には、大臀筋７０が存在し、その上方に中臀筋７１、側部に腸脛靭帯上部７３と大腿筋膜張筋７２がこの順番に存在している。７４は大内転筋上部である。本発明の運動用スパッツは、大臀筋７０、もしくは大臀筋７０と中臀筋７１とに強緊締素材を配置する。この領域にパワーの強い生地素材を配置することで、筋肉の収縮を効果的に補助できる。又、強緊締素材を配置した領域以外は、第２の種類の素材である弱緊締力を有するストレッチ素材（以下、「弱緊締素材」という。）を配置する。
【００１８】
本発明の運動用スパッツは、走ることを基本にするスポーツに好適である。
【００１９】
本発明において、「ほぼ密着」の状態を作るには、人体の裸のサイズに対して、周囲方向は５０％以上１１０％以下、さらに好ましくは７０％以上９５％以下、丈は７５％以上１００％以下、さらに好ましくは８５％以上１００％以下として運動用スパッツを形成する。もちろん人体のサイズは個人差があるので、前記の比率は目安である。
【００２０】
本発明において、「主構成部分」とは、運動用スパッツを構成する主要な生地部、すなわち、腰部と少なくとも大腿部を覆う生地をいう。また、強緊締素材は、少なくとも両方の大臀筋の一部又は全部をそれぞれ覆う位置に配置される。さらに少なくとも中臀筋の一部を覆う位置に配置しても良い。
【００２１】
前記運動用スパッツは膝上、膝下または足首まで覆うように形成されていてもよい。膝下または足首まで覆う場合、これらの生地は必要に応じて強緊締素材及び弱緊締素材を任意に配置する。
【００２２】
前記強緊締素材及び弱緊締素材は、縫製によって一体化されていることが好ましい。しかし、緯編物の場合は、後に説明するように一体編成することもできる。
【００２３】
本発明の強緊締素材及び弱緊締素材は、ストレッチ素材であり、素材の５ｃｍ幅における４．９Ｎ（５００ｇｆ）加重時の伸長率が、経緯方向ともに第１の種類の素材は５％以上３０％未満の範囲、第２の種類の素材は３０％以上の範囲であることが好ましい。また、５ｃｍ幅における１７．７Ｎ（１８００ｇｆ）加重時の伸長率が、第１の種類の素材の値をＡ、第２の種類の素材の値をＢとしたとき、経緯方向ともにＡは３０％以上８０％未満、Ｂは８０％以上であることが好ましい。
【００２４】
このような各部分のストレッチ特性を出すためには、後に説明するように、例えば弾性糸を編物又は織物の構成糸に用いた場合、一例として次のような手段を取ることができる。
（１）強緊締素材には弱緊締素材に比べて、弾性糸の構成比率を高くする。
（２）強緊締素材には弱緊締素材に比べて、弾性糸の繊度を太くする。
（３）強緊締素材には弱緊締素材に比べて、織物の場合は経糸及び／又は緯糸密度を高くし、編み物の場合は編み密度を高くする。
（４）強緊締素材には弱緊締素材に比べて、弾性糸の張力を高くして織物または編物を製造する。
（５）強緊締素材には弱緊締素材に比べて、生地の厚さを厚くして織物または編物を製造する。
【００２５】
本発明のストレッチ素材は、縦方向及び横方向に伸縮する２ウェイストレッチ編物及び２ウェイストレッチ織物から選ばれる少なくとも一つの布帛であることが好ましい。
【００２６】
前記２ウェイストレッチ編物又は織物は、ポリエステル繊維糸と弾性糸とを主成分構成糸とするか、またはナイロン繊維糸と弾性糸とを主成分構成糸としてもよい。別の構成としては、コットン（木綿）と弾性糸とを主成分構成糸としてもよい。ここで、主成分構成糸とは、両成分を合計すると８０重量％以上になることをいう。ポリエステル繊維糸を用いた場合は、汗をかいても乾き易い。ナイロン繊維糸を用いた場合は、軟らかなタッチの編物となる。
【００２７】
前記編物又は織物の組織はどのようなものであっても良い。織物としては一般的に良く知られている平織、斜文織、朱子織の３原組織の他、変化織であってもよい。また、編物として一般的に良く知られているラッセル経編機によって編成される編物、トリコット経編機によって編成される編物及びニット緯編み機によって編成される編物等であっても良い。例えば、トリコット経編機によって編成されるハーフ組織の編物やラッセル経編機によって編成されるパワーネット組織の編物等を挙げることができる。ニット緯編物としては、例えば平編（天竺編）、ゴム編、パール編、スムース編（両面編）等どのような組織でも良い。また、ニット緯編み機によって編成される編物は、丸編機又は横編機によって編成される編物であっても良い。なお、緯編ニットの場合は、縫製を必要としないで、弱緊締素材と強緊締素材とを一体化編成することも可能である。例えば、横編の無縫製機（島精機製作所）の“ＦＩＲＳＴ−Ｘ”という装置があり、これを用いて腰部と両脚部を同時に編成し、無縫製ニット製品を製造できる。
【００２８】
さらに、イタリアのサントニ（ＳＡＮＴＯＮＩ）社のフルコンピュータ制御の“シームレス・ボディ・インナー編み機”と呼ばれる装置で強緊締素材及び弱緊締素材の組み合わせをシームレスで筒状に編成し、下腹部及び脚部とすることも可能である。
【００２９】
前記織物または編物は、ポリウレタン糸等の伸縮性を有する弾性糸を少なくとも一部に使用しているものが好ましい。
【００３０】
前記弾性糸は、ポリウレタン系弾性糸及びポリエステル系弾性糸から選ばれる少なくとも一つであることが好ましい。ストレッチ性が高く、スポーツ衣料に適しているからである。前記弾性糸は、ベアヤーン（裸糸）又は表面にポリエステル繊維もしくはナイロン繊維が被覆されたカバードヤーンのどちらでも良い。
【００３１】
高捲縮仮撚加工を施して伸縮性を持たせたポリエステル、ナイロン等の高捲縮仮撚加工糸を生地の少なくとも一部あるいは全部に使用した生地も可能である。また、単純に前記伸縮性のあるニットを複数枚数重ねて使用することも可能である。更に、前記伸縮性のあるニット生地どうしをラミネート加工して二層にした二層ラミネート生地、伸縮性のあるポリウレタンシートを前記伸縮性のあるニット生地ではさみ込みラミネート加工して三層にした三層ラミネート生地も使用可能である。
【００３２】
次に、生地素材に「強弱」の緊締力を持たせ、強緊締素材および弱緊締素材とする方法としては、ポリウレタン糸、高捲縮仮撚加工糸（以下、伸縮糸とする。）の混率の「大小」でそれぞれ生地素材に「強弱」の緊締力を持たせることができる。混率に変化を与える方法としては、伸縮糸の太さを「太細」と変えることで混率の「大小」を出す方法、伸縮糸の太さは同じで生地中に配する割合を「多少」と変えることで混率の「大小」を出す方法がある。伸縮糸の混率が一定の場合に編密度を「密疎」とかえることでも可能である。さらに、伸縮糸の種類を変えた生地を使用するか、ラミネート加工した生地とラミネート加工していない生地を用いるか、または同一の生地の重ねる枚数を変えることでも生地に「強弱」の緊締力を持たせることが可能である。
【００３３】
強緊締素材および弱緊締素材における「強弱」の緊締力は、一定加重時の生地の伸長率の大小で確認することができる。すなわち、緊締力の強い生地は伸長率が小さく、弱い生地は伸長率が大きい。
【００３４】
本発明において、緊締力とは、伸長に対する素材の抵抗力のことである。
【００３５】
ストレッチ性及び緊締力を表す伸長率の測定方法は、ＴＥＮＳＩＬＯＮ万能型引張試験機（ＵＴＭ−III−２００、東洋ボールドウイン社製）を用い、引張強度を２０ｃｍ／分と
し、試料生地の大きさは、巾が５ｃｍ、長さが３０ｃｍ、つかみ間隔が２０ｃｍとした。緊締力を測定する際の加重は、４．９Ｎ（５００ｇｆ）、ストレッチ性を測定する際の加重は、１７．７Ｎ（１８００ｇｆ）とし、生地素材の経緯方向について測定した。以下、実施例の説明の際に用いる伸張率は、この測定方法による測定結果である。
【００３６】
本発明に係る運動用スパッツでは、前記強緊締素材および弱緊締素材を縫着又は接着によって一体化し、運動用スパッツを形成している。
【００３７】
縫着方法としては、本縫い、環縫い、１本針オーバーロック、２本針オーバーロック、フラットシーマ等の縫目を形成するミシンで縫着する方法があげられるが、縫目の種類は特にこれらに限定されるものではない。ただ、縫目もストレッチ性を有し、着用時に違和感を起こしにくい１本針オーバーロック、２本縫いオーバーロック、フラットシーマを採用するのが望ましい。
【００３８】
接着方法としては、一体化したい二種類の生地（部材）にのりしろを設け、熱によって融解し、冷却後生地に浸透して凝固するポリウレタン、又はシリコン等の樹脂製熱融解性のシームテープをのりしろの生地の間にはさみ、熱プレスすることで生地を接着できる熱圧着法があげられるが、縫着同様のりしろにストレッチ性をもたせ、着用時の違和感をなくすることが望ましい。
【００３９】
本発明の運動用スパッツは、陸上競技のみならず、ゴルフ、テニス、バドミントン、スカッシュ、ホッケー、ジョギング、サッカー、ラグビーなど様々なスポーツにも適用できる。
【実施例】
【００４０】
以下、本発明に係る運動用スパッツの一実施例について、図３Ａ−Ｃを用いて説明する。図３Ａは運動用スパッツの正面図、図３Ｂは同じく側面図、図３Ｃは同じく背面図である。本実施例の運動用スパッツは、中央前部分１１、大腿前部分１２、後上部分１３、後中央部分１４、大腿後部分１５および着用時に使用する腰紐１６の各部材でパンツを構成した。前記それぞれの部分は左右対称に配置した。本実施例では各部材は相互に縫製により一体化してパンツを形成した。縫製方法は、フラットシーマミシンを用い、針糸にポリエステルスパンライクフィラメント糸、上かがり糸と下かがり糸にウーリーナイロン糸を用いてフラットシーマの縫目で縫着した。
【００４１】
前記後中央部分１４は強緊締素材（図中では斜線部分で表示）で構成し、着用者の大臀筋、中臀筋の一部の領域に配置した。強緊締素材としては、繊度が１３６デシテックス(dtex)のポリエステルフィラメント双糸と、繊度が６４デシテックス(dtex)のポリウレタンベアヤーン使いのベア天竺組織で、混率はポリエステル８５重量％、ポリウレタン１５重量％、丸編機のゲージ数３０Ｇのものを用いた。緊締力を表す４．９Ｎ（５００ｇｆ）加重時の伸長率は経方向で２０％、緯方向で２５％であった。ストレッチ性を表わす１７．７Ｎ（１８００ｇｆ）加重時の伸長率は経方向で６０％、緯方向で７０であった。単位面積当たりの重量（目付）は、３２０ｇ／ｍ2であった。
【００４２】
中央前部分１１、大腿前部分１２、後上部分１３、大腿後部分１５は弱緊締素材で構成した。弱緊締素材としては、繊度が６８デシテックス(dtex)のポリエステルフィラメント糸と、繊度が３６デシテックス(dtex)のポリウレタンベアヤーン使いのベア天竺組織で、混率はポリエステル８５重量％、ポリウレタン１５重量％、丸編機のゲージ数３０Ｇのものを用いた。緊締力を表す４．９Ｎ（５００ｇｆ）加重時の伸長率は経方向で９０％、緯方向で７０％であった。ストレッチ性を表わす１７．７Ｎ（１８００ｇｆ）加重時の伸長率は経方向で１９０％、緯方向で８０％であった。単位面積当たりの重量（目付）は、１９０ｇ／ｍ2であった。
【００４３】
本実施例において、「ほぼ密着」の状態を作るため、人体の裸のサイズに対して、周囲方向は８０％、丈は９０〜９５％を目安に作製した。
【００４４】
本実施例の効果を検証するため、陸上競技短距離走者５名に対して次のような実験を実施した。
【００４５】
即ち、トレッドミルを用いた時速２５ｋｍでの走行時における下肢筋電図計測から求めた下肢筋活動量を本発明の実施例品と、比較例品（本実施例と同形状で、全部位を弱緊締素材で作成したスパッツ）、および従来の一般的なランニングパンツ（ポリエステルトリコットを使用したトランクス型）を用いて比較した。
【００４６】
下肢の筋電図は、それぞれ外側広筋、内側広筋、大腿直筋、大腿二頭筋、大臀筋の活動が導出できるように、大腿前面外側、大腿前面内側、大腿前面中央、大腿広面中央、臀部に電極を装着して計測した。
【００４７】
なお、測定は全て右脚について実施し、足部が着地してから次に着地するまでの筋電図の積分値を筋活動量とした。本実施例の効果があるならば、同じ速度で走行しても本実施例着用時の筋活動量は低くなるはずである。
【００４８】
その結果、図４に示すように従来の一般的なランニングパンツ着用時の筋活動量を１００％として比較した場合、本実施例は比較例品及び従来の一般的なランニングパンツのいずれよりも筋活動量が低く、特に臀部では従来の一般的なランニングパンツに対して８８．４％と筋活動量が低い結果が得られた。なお、図４は５名の試験者の平均値である。
【００４９】
この結果から、本実施例における臀部に配置した強緊締部が走動作を補助していることは明らかである。また、この結果は同一速度における筋活動量の比較であるが、本実施例着用時にランニングパンツ着用時と同程度の筋活動を発揮すれば、より速い速度で走行可能になることが期待できる。
【００５０】
更に、全ての被験者が着用した際に、疲労感も少なく、瞬発力が必要な際、足で地をキックして前に進むときに大臀筋の収縮を補助し、より強い瞬発力を発揮できることが確認できた。着用感もよく、好評であった。
【００５１】
前記の実施例では、中央前部分１１、大腿前部分１２、後上部分１３、後中央部分１４、大腿後部分１５および着用時に使用する腰紐１６の各部材でスパッツを構成したが、前記の各領域に前記の各緊締力の生地素材が配置されていれば、各領域の形状はこれに限定されるものではない。また、前記の実施例では、運動用スパッツの丈が膝上位置までの丈になっているが、勿論これに限定されるものではなく、本発明の目的が達成される範囲であれば膝下位置、足首位置等運動用スパッツの丈は任意であってよい。図１Ａ〜図１Ｃは、着用状態に似せて立体的に表現したものではあるが、着用者の体型等によって、多少の形状の変化をさせても良い。
【図面の簡単な説明】
【００５２】
【図１】本発明の運動用スパッツに関連した走動作を説明するため左脚に注目したときの遊脚期前半工程、接地期、遊脚期後半工程を示す説明図である。
【図２】Ａは本発明に関係する筋肉を背面から見た解説図、Ｂは本発明に関係する筋肉を側面から見た解説図である。
【図３】Ａは本発明に係る運動用スパッツの一実施例の正面図、Ｂは同じく側面図、Ｃは同じく背面図である。
【図４】本発明の実施例品と、比較例品、及び従来の一般的なランニングパンツを用いて、時速２５ｋｍでの走行時における下肢筋電図計測から求めた下肢筋活動量比較図。
【符号の説明】
【００５３】
１１  中央前部分
１２  大腿前部分
１３  後上部分
１４  後中央部分
１５  大腿後部分
１６  腰紐
７０  大臀筋
７１  中臀筋
７２  大腿筋膜張筋
７３  腸脛靭帯上部
７４  大内転筋上部
【図１】
2005146450.tif 000003
【図２】
2005146450.tif 000004
【図３】
2005146450.tif 000005
【図４】
2005146450.tif 000006